(57)【要約】【課題】ルーフ部の後部の収納空間に配備された空調ユニットへのキャビン内空気及び外気の供給を可能にする。【解決手段】収納空間４０の前側に位置するインナルーフ３０の後部中央に、キャビン内空気の空調ユニット３６への供給を可能にする内気供給口４１を形成すると共に、内気供給口４１に対向するアウタルーフ３１の後部中央に、外気の空調ユニット３６への供給を可能にする外気供給口４２を形成する。【選択図】図２
2014111456.tif 000002
【特許請求の範囲】
【請求項１】
ルーフ部を、インナルーフと、アウタルーフと、リヤウインドよりも後方に延出したアウタルーフの後端部を下側から覆う下部カバーとを備えて構成して、前記インナルーフの後端部と前記アウタルーフの後部と前記下部カバーとによって形成された収納空間に空調ユニットを配備し、
前記収納空間の前側に位置する前記インナルーフの後部中央に、キャビン内空気の空調ユニットへの供給を可能にする内気供給口を形成すると共に、前記内気供給口に対向する前記アウタルーフの後部中央に、外気の空調ユニットへの供給を可能にする外気供給口を形成してある作業車。
【発明の詳細な説明】
【技術分野】
【０００１】
本発明は、キャビンのルーフ部に空調ユニットを備えるとともに、空調ユニットから発生する水分を機外に排出する排水機構を設けてある作業車の排水構造に関する。
【背景技術】
【０００２】
空調ユニットとしての冷房装置で発生したドレン水を機外に排出する為に、キャビンのルーフ部に収納した冷房装置から前後左右に４本のドレン配管を配置し、四隅に配置された４本の支柱に沿ってドレン配管を這わせて、ドレン水を機外に排出していた（特許文献１参照）。
【先行技術文献】
【特許文献】
【０００３】
【特許文献１】実公平７−２７２１５号公報（公報第４欄の第４６行〜第５欄の第３行、及び、図１）
【発明の概要】
【発明が解決しようとする課題】
【０００４】
上記のように空調ユニットから前後にドレン排水用の配管が配設されているのは、空調ユニットの前後に配置されているキャビンの骨組みを構成するリヤピラー又はフロントピラーとしての支柱内を通して配管を配索することを目的とするものであり、かつ、作業車が傾斜地を走行して作業を行う場合に機体が前後に傾斜しても支障なくドレン水を排出することを考慮したものである。
しかし、前後に向けてドレン排水用の配管を設ける必要があり、配管の配索スペースの確保と配索作業の製作負担に大きなものがあった。
しかも、ドレン排水用の配管を上下向き姿勢で這わす支柱が、空調ユニットの前後一方にしか存在しない場合には、配管は前後一方に向けてしか配索できないこととなり、単に、配管を前後一方に向けて配索しただけでは、傾斜地走行でのドレン排出が十分でないことも考えられた。
【０００５】
本発明の目的は、構造の簡単な排水構造を採りながらも、傾斜地走行時においても十分排出することのできる作業車の排水構造を提供する点にある。
【課題を解決するための手段】
【０００６】
〔構成〕
請求項１に係る発明の特徴構成は、前記空調ユニットを、リヤピラーより後方にまで突出するルーフ部内に設け、前記排水機構を、前記空調ユニットから水平でかつ横側方に向かう姿勢で第１排水部を前記ルーフ部内に設けるとともに、前記ルーフ部より突出させた第１排水部に接続する第２排水部を、機体前方側に向けて斜め下向き姿勢で配設し、前記第２排水部に接続する第３排水部を上下向き姿勢でリヤピラーに沿って配置して構成してある点にあり、その作用効果は次の通りである。
【０００７】
〔作用〕
空調ユニットから水分を取り出す第１排水部は、略水平で横側方に向かう姿勢で配索してある。この構成により作業車が後倒れ方向に傾きを生じても、第１排水部の姿勢は変化しないので、排水機能が低下することは少ない。
第３排水部としては、リヤピラーに沿って上下向き姿勢で配索されているので、この場合には、作業車が後方向に傾きを生じて第３排水部の姿勢も後倒れ姿勢に変化することとなるが、下向きに排水する機能は維持されることとなるので、排水機能が低下することは少ない。
第１排水部と第３排水部を結ぶ第２排水部を、従来構成のように、機体前後方向に向かう姿勢に配索するのではなく、前方に向けて下向き斜め姿勢に配索することとした。これによって、作業車が後方向に傾きを生じて第２排水部の姿勢が変化しても、第２排水部は下向きの状態を維持できるので、排水機能が低下することは少ない。
【０００８】
一方、作業車が前方に向けて傾斜した場合には、第１排水部は略水平で横側方に向かう姿勢に配索されているので、その姿勢が変化することはない。前方に向けて下向き斜め姿勢に配索されている第２排水部は、姿勢を変化させて上下向き姿勢に近い姿勢に切り換わり、排水機能の低下はない。上下向き姿勢に配索されている第３排水部は、前倒れ姿勢に多少は変化するが、下向き傾斜姿勢は維持できるので、これも排水機能が低下することは少ない。
【０００９】
〔効果〕
上下向き姿勢で排出する第３排出部に接続するために、略水平で横側方に向う第１接続部と斜め下向き姿勢の第２接続部を設けることによって、走行機体の前後傾斜に拘わらず排水機能を低下させることはなく、排水機能の低下による収納機器の作動不良等を回避できるに至った。
【００１０】
請求項２に係る発明の特徴構成は、キャビンのルーフ部に空調ユニットを備えるとともに、空調ユニットから発生する水分を機外に排出する排水機構を設けてある作業車の排水構造であって、
前記空調ユニットを、フロントピラーより前方にまで突出するルーフ部内に設け、前記排水機構を、前記空調ユニットから水平でかつ横側方に向かう姿勢で第１排水部を前記ルーフ部内に設けるとともに、前記ルーフ部より突出させた第１排水部に接続する第２排水部を、機体後方側に向けて斜め下向き姿勢で配設し、前記第２排水部に接続する第３排水部を上下向き姿勢でフロントピラーに沿って配置して構成してある点にあり、その作用効果は次の通りである。
【００１１】
〔作用効果〕
つまり、空調ユニットから水分を取り出す第１排水部は、略水平で横側方に向かう姿勢で配索してある。この構成により作業車が前倒れ方向に傾きを生じても、第１排水部の姿勢は変化しないので、排水機能が低下することは少ない。
第３排水部としては、フロントピラーに沿って上下向き姿勢で配索されているので、この場合には、作業車が前方向に傾きを生じて第３排水部の姿勢も後倒れ姿勢に変化することとなるが、下向きに排水する機能は維持されることとなるので、排水機能が低下することは少ない。
【００１２】
第１排水部と第３排水部を結ぶ第２排水部を、従来構成のように、機体前後方向に向かう姿勢に配索するのではなく、後方に向けて下向き斜め姿勢に配索することとした。これによって、作業車が前方向に傾きを生じて第２排水部の姿勢が変化しても、第２排水部は下向きの状態を維持できるので、排水機能が低下することは少ない。
作業車が後方に向けて傾斜した場合には、第１排水部は略水平で横側方に向かう姿勢に配索されているので、その姿勢が変化することはない。後方に向けて下向き斜め姿勢に配索されている第２排水部は、姿勢を変化させて上下向き姿勢に近い姿勢に切り換わり、排水機能の低下はない。上下向き姿勢に配索されている第３排水部は、後倒れ姿勢に多少は変化するが、下向き傾斜姿勢は維持できるので、これも排水機能が低下することは少ない。
【００１３】
〔効果〕
上下向き姿勢で排出する第３排出部に接続するために、略水平で横側方に向う第１接続部と斜め下向き姿勢の第２接続部を設けることによって、作業車の前後傾斜に拘わらず排水機能を低下させることはなく、排水機能の低下による収納機器の作動不良等を回避できるに至った。
【００１４】
請求項３に係る発明の特徴構成は、請求項１または請求項２に係る発明において、前記第２排水部を金属製の配管で構成し、その金属製の配管を、作業灯を支持するブラケットに一体形成してある点にあり、その作用効果は次の通りである。
【００１５】
〔作用効果〕
つまり、第２排水部を金属製の配管で構成したので、第２排水部を傾斜姿勢で設けるにしても、第２排水部の姿勢維持を良好に行うことができて、排水機能の低下を抑制できるとともに、ブラケットの兼用化を図ることができ、金属製の配管を支持する専用のブラケットを設ける必要はない。
【図面の簡単な説明】
【００１６】
【図１】トラクタの全体側面図
【図２】キャビン後部を示す平面図
【図３】キャビン後部の空調ユニット収納状態を示す縦断側面図
【図４】排水機構を備えるキャビンの後面図
【図５】機体左側の排水機構を示す左側面図
【図６】機体右側の排水機構を示す右側面図
【図７】下部カバーの内面を示す平面図
【図８】下部カバーとアウタルーフの間に介在されている第１シール部材と第２シール部材を示す縦断側面図
【図９】アウタルーフに装着される第２シール材を示す下面図
【図１０】内気供給口と外気供給口との間に設けられているシャッタを示す縦断側面図
【図１１】内気供給口と外気供給口との間に設けられているシャッタを駆動するクランクアーム等を示す構成図
【図１２】排水機構の先端側ホースのリヤピラーに対する取付状態を示す横断平面図
【発明を実施するための形態】
【００１７】
図１には作業車の一例として耕耘作業を主作業とするトラクタの全体側面が示されており、このトラクタは、前部フレーム１に防振搭載したエンジン２からの動力を、フレーム兼用のミッションケース３に内装した走行用の変速装置（図示せず）などからなる走行伝動系を介して左右一対の前輪４及び後輪５に伝達する四輪駆動型に構成されている。
【００１８】
図１及び図２に示すように、ミッションケース３の後部には、その後上部に内装した油圧式の昇降シリンダ（図示せず）の作動で上下方向に揺動駆動される左右一対のリフトアーム６や、エンジン動力の外部への取り出しを可能にする動力取出軸７、などが装備されている。
【００１９】
動力取出軸７には、エンジン２からの動力が、走行伝動系とは別系統のミッションケース３に内装した作業用の変速装置（図示せず）や作業クラッチ（図示せず）などからなる作業伝動系を介して伝達されている。
【００２０】
図示は省略するが、左右のリフトアーム６には、ミッションケース３の後部に昇降揺動可能に連結装備されるリンク機構が連結され、動力取出軸７には、そのリンク機構に連結されるロータリ耕耘装置などの作業装置に備えた入力軸が伝動軸などを介して接続される。
【００２１】
図１及び図２に示すように、トラクタの後半部には、ステアリングホイール８や運転座席９などを備えて搭乗運転部１０が形成され、その搭乗運転部１０を覆うキャビン１１が装備されている。
【００２２】
図１に示すように、キャビン１１は、キャビンフレーム１９に、透明の曲面ガラスなどからなるウインドシールド２０、透明の平面ガラスなどからなる外開き式の左右一対のドアパネル２１、透明の曲面ガラスなどからなる外開き式の左右一対のサイドウインド２２、及び、透明の曲面ガラスなどからなる外開き式のリヤウインド２３、などを備えて構成されている。
【００２３】
キャビンフレーム１９は、異形パイプからなる左右一対のフロントピラー２４、左右一対のクォータピラー２５、角パイプからなる左右一対のリヤピラー２６、断面形状コの字状のフロントクロスメンバー２７、断面形状コの字状の左右一対のサイドメンバー２８、及び、断面形状コの字状のリヤクロスメンバー２９、などを溶接して構成され、フロントクロスメンバー２７、左右のサイドメンバー２８、及び、リヤクロスメンバー２９に、インナルーフ３０やアウタルーフ３１などを取り付けてルーフ部３２が形成されている。
【００２４】
左右のドアパネル２１は、対応するクォータピラー２５に上下一対のヒンジ３３を介して開閉揺動可能に連結されている。
左右のサイドウインド２２は、対応するリヤピラー２６に上下一対のヒンジ３４を介して開閉揺動可能に連結されている。
リヤウインド２３は、リヤクロスメンバー２９に左右一対のヒンジ３５を介して開閉揺動可能に連結されている。
左右のリヤピラー２６は、それらの間隔が、左右のフロントピラー２４の間隔や左右のクォータピラー２５の間隔よりも狭くなるように設定されている。
【００２５】
図３に示すように、リヤクロスメンバー２９は、アウタルーフ３１との間に空調ユニット３６の配置空間を確保するために、左右のリヤピラー２６の上端部から所定距離だけ下げた高さ位置に配置設定され、その上部には空調ユニット３６を支持する３つの支持ステー３７が装備されている。
【００２６】
図１〜図３に示すように、インナルーフ３０は、その周縁部がフロントクロスメンバー２７、左右のサイドメンバー２８、及び、リヤクロスメンバー２９の下面に接合されており、その周縁部とアウタルーフ３１との間に空調ダクト配設用の空間を確保しながら居住空間を極力広くするために、その中央部がアウタルーフ３１に向けて膨出する形状に形成されている。
【００２７】
アウタルーフ３１は、その周縁部がフロントクロスメンバー２７及び左右のサイドメンバー２８の上面で支持され、その前後中間部に外気導入経路３８を有するように、又、その後端部が、リヤウインド２３よりも後方に延出して、空調ユニット３６の上部を覆う上部カバーとして機能するように形成されている。
【００２８】
アウタルーフ３１及び支持ステー３７には、空調ユニット３６の後下部を覆う下部カバー３９が連結され、インナルーフ３０の後端部とアウタルーフ３１の後部と下部カバー３９とで、空調ユニット３６の収納空間４０が形成されている。
【００２９】
図２〜図６に示すように、インナルーフ３０の後部中央には、キャビン内気の空調ユニット３６への供給を可能にする左右一対の内気供給口４１が形成されている。
図９及び図１０に示すように、アウタルーフ３１の後部中央には、外気の空調ユニット３６への供給を可能にする左右一対の外気供給口４２が、インナルーフ３０の内気供給口４１に対向する状態で形成されている。
【００３０】
図１、図９及び図１０に示すように、アウタルーフ３１の後部には、左右のサイドウインド２２を開けた際のキャビン内部への雨水の入り込みを阻止する左右一対の庇４３が形成されている。
左右の庇４３は、外気導入経路３８に連通する中空状に形成され、左側の庇４３の底壁にのみ、外気導入口４４が形成され、エアフィルタ４５が装備されている。
このように、左側の庇４３にのみ外気導入口４４を形成し、エアフィルタ４５を装備したことで、圃場でエアフィルタ４５の掃除や交換などを行う場合には、車体の左側を畦に隣接させた状態で車体を停止させるようにすれば、左側の乗降口から畦に降車して直ぐに、庇４３に手が届き易い畦上で、エアフィルタ４５の掃除や交換などを行うことができる。
【００３１】
図２、図９及び図１０に示すように、内気供給口４１と外気供給口４２の間には、外気供給口４２を開放して空調ユニット３６への外気の供給を許容するとともに、内気供給口４１の開口面積を小さくして内気供給口４１からのキャビン内気の供給を抑制する外気混入状態と、外気供給口４２を閉塞して空調ユニット３６への外気の供給を阻止するとともに内気供給口４１を大きく開放する内気循環状態とに切り換え可能に構成された上下揺動式のシャッタ４６が配備されている。
【００３２】
図２、図９及び図１０に示すように、シャッタ４６は、電動モータ４７の作動で左右向きの支軸４８を支点にして上下揺動する電動式で、その遊端部に備えた連係軸４９が、前後向きの支点ピン５０を支点にして揺動するクランクアーム５１、及び連係ワイヤ５２を介して、電動モータ４７の操作アーム５３に操作連係され、図外のバネによって内気循環状態に復帰付勢されている。
【００３３】
図２及び図３に示すように、空調ユニット３６は、右上部に吸気部５４が開口され、前部に左右一対のパイプ状の吹出部５５が形成されたケーシング５６に、シロッコファン５７、エバポレータ５８、及びヒータ５９、などを内装して構成され、左右のリヤピラー２６、２６の間で、その後端部がキャビン１１のリヤウインド２３よりも大きく後方に位置するように各支持ステー３７で支持されることで、その全体が運転座席９よりも後方に位置するようになっている。
【００３４】
図２及び図３に示すように、空調ユニット３６を配置したことで、空調ユニット３６をルーフ部３２の前端部に配置する場合に比較して、キャビン１１の全高を極力低くしながら居住空間を大きく確保することができ、又、能力の高い大型の空調ユニット３６を装備することが可能になり、更に、前上方に対する視界が広がることから、例えば、フロントローダ（図示せず）を連結装備したローダ作業時には、上昇させたバケット位置の視認が容易になり、作業性が向上する。
【００３５】
図２及び図３に示すように、シロッコファン５７は、エバポレータ５８の右側方に配置され、吸気部５４から取り込んだ未調節空気を、エバポレータ５８とそれに対向するケーシング５６の後壁６０との間に形成された給気経路６１を介して、エバポレータ５８及びヒータ５９に供給する。
【００３６】
図２及び図３に示すように、ケーシング５６の後壁６０は、シロッコファン５７からの未調節空気をエバポレータ５８の全域に略均一に案内する案内壁として機能するように、シロッコファン５７から離れる左端側ほどエバポレータ５８に接近する多段形状に形成されている。
【００３７】
このように、ケーシング５６の後壁６０を多段形状に形成したことで、後壁６０における左端部の外面と、ルーフ部３２における後部の壁面との間には比較的大きい空間６２が形成されることになる。
【００３８】
そこで、この空間を有効利用して、ケーシング５６の後壁６０にシャッタ操作用の電動モータ４７を装備するようにしてあり、これによって、電動モータ４７を収納する専用の空間を形成することによるルーフ部形状の複雑化やルーフ部３２の大型化などを回避することができる。
【００３９】
又、シロッコファン５７は、エバポレータ５８の右側方に配置されたことで、アウタルーフ３１の左端部に形成された外気導入口４４とは反対側の右端部に位置することになり、これによって、外気混入状態では、外気導入口４４から導入された外気が、外気導入経路３８と給気経路６１とを介して、キャビン１１の内温で予熱された状態でエバポレータ５８及びヒータ５９に供給されるようになることから、外気導入口４４の近傍にシロッコファン５７を配置する場合に比較して、空調効率の向上を図ることができる。
【００４０】
図２及び図３に示すように、ケーシング５６の各吹出部５５には、対応する吹出部５５からの調節空気をキャビン１１の前端部に向けて案内する左右一対の空調ダクト６３が外嵌されている。
【００４１】
図２〜図６に示すように、エバポレータ５８には、そのケース内で発生した結露水を排出する排水機構Ａが設けられている。排水機構Ａは、エバポレータ５８の底部における左右両端部に形成された結露水排出用の排水口７５，７６に対応して、夫々、設けられている。
【００４２】
図３〜図６に示すように、排水機構Ａは、左右排水口７５、７６に接続され、略水平でかつ横側方に向かう姿勢で第１排水部としての左右機器側排水ホース６５，６５を設ける。左右機器側排水ホール６５，６５は、左右排水口７５，７６に接続された基端部６５Ａ、６５Ａを下部カバー３９の内部空間内に位置させており、その内部空間における底面に沿った状態で、略水平でかつ横側方に向かう姿勢で設けられており、図７に示すように、下部カバー３９には載置溝３９Ｃ、３９Ｃが設けてある。左右機器側排水ホース６５，６５の先端部分は、下部ケース３９に形成した取出口３９Ｄ、３９Ｄより突出し、斜め前方下方に向かって延出されている。
【００４３】
図３〜図６に示すように、左右機器側排水ホース６５、６５より排水方向下手側には、左右のエルボ状の金属製の配管６６、６６を前方下方に向かう斜め下向き姿勢に配設し、第２排水部を構成してある。
左右金属製の配管６６、６６より排水方向下手側には、左右先端側ホース６７、６７を上下向き姿勢で配設し、夫々、左右金属製の配管６６、６６に接続してある。
【００４４】
図３〜図６に示すように、左右金属製の配管６６、６６の上方には、夫々、後記する左右作業灯８４、８４が配設され、左右作業灯８４、８４を支持する左右ブラケット６８、６８が設けてある。左右ブラケット６８、６８より下向きに板状部６８Ａ、６８Ａを垂下してあり、この板状部６８Ａ、６８Ａの下端に、夫々、左右金属製の配管６６、６６を一体固定してある。
図中８３は、ウインカーである。
【００４５】
図３〜図６に示すように、左右金属製の配管６６、６６の下端部に外嵌装着された左右先端側ホース６７、６７は、対応する左右のリヤピラー２６，２６の外面に接合したサイドウインド２２とリヤウインド２３の間を通って機体の下部側まで延出されている。図１２に示すように、左右先端側ホース６７、６７の断面形状は、円筒形の一部でリヤピラー２６、２６に接着される基端部分は、一定の横幅を備えた取付座６７Ａ、６７Ａに形成され、リヤピラー２６、２６への取付状態を安定したものにしている。
【００４６】
つまり、図３〜図６に示すように、エバポレータ５８の底部における左右両端部に排水口７５，７６を備えたことで、エバポレータ５８で発生した結露水を、車体の左右傾きに対応する排水口７５，７６から、左右の排水機構Ａ、Ａを介して、左右のリヤピラー２６の外面に案内することができ、図１に示すように、左右のリヤピラー２６の下端部から左右のリヤフェンダ８０の内面に沿って車外に速やかに排出することができる。
【００４７】
又、左右の先端側ホース６７、６７を、サイドウインド２２とリヤウインド２３の間を通すことで、目立ち難くすることができ、外部配管構造を採用することによる見栄えの低下を抑制することができる。
【００４８】
アウタルーフ３１と下部カバー３９との間に形成される防水シール機構Ｂについて説明する。図３、図７及び図８に示すように、防水シール機構Ｂは、アウタルーフ３１と下部カバー３９との接続面に設けられるものであり、第１合わせ面に配置される第１シール部材６９と、第１合わせ面より内側に形成される第２合わせ面に配置される第２シール部材７０と、第１シール部材６９と第２シール部材７０との間に形成される補水空間Ｃとで構成される。
【００４９】
図７及び図８に示すように、補水空間Ｃは、下部カバー３９における外側壁部３９Ａとその外側壁部３９Ａの内側にその外側壁部３９Ａから分岐されて立設されている内側壁部３９Ｂとの間に形成されており、第１シール部材６９を越えて浸入してきた水分を捕集するように構成してある。
【００５０】
このような構成によって、高圧洗車時であっても、空調ユニット収納空間に水が浸入することが少なくなる。
なお、補水空間Ｃに溜まった水は、次ぎのようにして排出される。図７及び図８に示すように、補水空間Ｃを、前記第１合わせ面に沿ってかつその補水空間Ｃの底面が前記補水空間Ｃの両側端程低位に位置するように形成する。そして、前記した両側端に対応した最低部位に下部カバー３９より機外に排出する排出口Ｃｃ、Ｃｃを設けて、補水空間Ｃに捕捉された漏水を排出するように構成してある。
【００５１】
第１シール部材６９と第２シール部材７０について説明する。図７及び図８に示すように、第１シール部材６９は、左右のリヤピラー２６，２６より後方に配置されている下部カバー３９の周縁部に沿って設けられており、第１合わせ面として形成されている平坦面に沿った一定幅の平板状に形成され、所定間隔毎に連結用の取付具等が貫通する孔６９Ａを備えている。
【００５２】
第２シール部材７０について説明する。図１に示すように、アウタルーフ３１は、キャビン１１を構成するフロントクロスメンバー２７と左右のサイドメンバー２８，２８とに主として支持され、リヤピラー２６の後方より突出する部分は、下部カバー３９で支持されている。第２シール材７０は、図７乃至図９に示すように、アウタルーフ３１と下部カバー３９との第２合わせ面に対応して設けられている後部シール部７０Ａと、フロントクロスメンバー２７、左右のサイドメンバー２８，２８との合わせ面に亘る状態で設けられている本体シール部７０Ｂとを有している。つまり、第２シール部材７０は、後部シール部７０Ａと本体シール部７０Ｂとをエンドレスに繋いだもので、アウタルーフ３１の周縁部に対応して形成されている保持溝内に装着されている。
【００５３】
図３に示すように、リヤクロスメンバー２９は、その後上端縁に段差が形成され、この段差を利用して、リヤクロスメンバー２９と下部カバー３９との間にシール材８２が介装されている。
【００５４】
このように防水機構Ｂとシール材８２とを介装したことで、インナルーフ３０の後端部とアウタルーフ３１の後部と下部カバー３９とで形成される空調ユニット収納空間４０の気密性及び防水性を確保することができる。
【００５５】
〔別実施形態〕
〔１〕作業車としては、コンバインやバックホーあるいは運搬車などであってもよい。
〔２〕ルーフ部３２の前部側に空調ユニット３６を配備するようにしてもよい。
この場合には、図示してはいないが、空調ユニット３６をフロントピラー２４より前方に突出する状態で配置する構成を採る。そうすると、この場合の排水機構Ａとしては、第１排水部としての機器側排水ホース６５は、空調ユニット３６から水平でかつ横側方に向かう姿勢で設けるとともに、機器側排水ホース６５に接続する金属製の配管６６を、機体後方側に向けて斜め下向き姿勢で配設し、先端側ホース６７を上下向き姿勢でリヤピラーに沿って配置して構成する。
〔３〕第１〜第３排水部としては、全て、排水ホースで構成してもよく、又、全て金属製の配管で構成してもよく、いずれにも、限定されない。
【符号の説明】
【００５６】
１１    キャビン
２４    フロントピラー
２６    リヤピラー
３２    ルーフ部
３６    空調ユニット
６５    第１排水部（機器側ホース）
６６    第２排水部（金属製の配管）
６７    第３排水部（先端側ホース）
６８    ブラケット
８４    作業灯
Ａ      排水機構
【図１】
2014111456.tif 000003
【図２】
2014111456.tif 000004
【図３】
2014111456.tif 000005
【図４】
2014111456.tif 000006
【図５】
2014111456.tif 000007
【図６】
2014111456.tif 000008
【図７】
2014111456.tif 000009
【図８】
2014111456.tif 000010
【図９】
2014111456.tif 000011
【図１０】
2014111456.tif 000012
【図１１】
2014111456.tif 000013
【図１２】
2014111456.tif 000014